(57)【特許請求の範囲】
【請求項１】
ユーザ設定が可能な複数の項目それぞれに対する使用データの識別子およびロックの有無を示すロック有無情報を含んだマイテーマが複数格納されたマイテーマ記憶部と、
各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、
現時点において各項目で使用しているデータの識別子が格納される現設定情報保持部と、
前記期間別利用マイテーマ特定情報記憶部の内容に基づいて、前記マイテーマ記憶部からマイテーマを選択し、選択したマイテーマの内容を前記現設定情報保持部に反映させる変更手段と、
ユーザによってマイテーマの内容の変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの内容の変更を許可し、ロック無しを示している場合は、無条件で前記マイテーマの内容の変更を許可するマイテーマ作成変更手段と、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可する利用期間設定変更手段とを備えたことを特徴とする携帯端末。
【請求項２】
請求項１記載の携帯端末において、
ユーザによって、前記マイテーマ記憶部に格納されているマイテーマの内の何れかが選択されたとき、該選択されたマイテーマの内容を前記現設定情報保持部に反映させるマイテーマ選択手段を備えたことを特徴とする携帯端末。
【請求項３】
請求項１または２記載の携帯端末において、
前記ユーザ設定が可能な複数の項目が、待ち受け画面、着信メロディおよび着信画面を含むことを特徴とする携帯端末。
【請求項４】
ユーザ設定が可能な複数の項目それぞれに対する使用データの識別子およびロックの有無を示すロック有無情報を含んだマイテーマが複数格納されたマイテーマ記憶部と、各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、
現時点において各項目で使用しているデータの識別子が格納される現設定情報保持部とを備えた携帯端末において、
前記期間別利用マイテーマ特定情報記憶部の内容に基づいて、前記マイテーマ記憶部からマイテーマを選択し、選択したマイテーマの内容を前記現設定情報保持部に反映させ、
ユーザによってマイテーマの内容の変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの内容の変更を許可し、ロック無しを示している場合は、無条件で前記マイテーマの内容の変更を許可し、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可することを特徴とする設定変更方法。
【請求項５】
請求項４記載の設定変更方法において、
前記ユーザ設定が可能な複数の項目が、待ち受け画面、着信メロディおよび着信画面を含むことを特徴とする設定変更方法。
【請求項６】
ユーザ設定が可能な複数の項目それぞれに対する使用データの識別子およびロックの有無を示すロック有無情報を含んだマイテーマが複数格納されたマイテーマ記憶部と、各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、現時点において各項目で使用しているデータの識別子が格納される現設定情報保持部を備えたコンピュータを、
前記期間別利用マイテーマ特定情報記憶部の内容に基づいて、前記マイテーマ記憶部からマイテーマを選択し、選択したマイテーマの内容を前記現設定情報保持部に反映させる変更手段、
ユーザによってマイテーマの内容の変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの内容の変更を許可し、ロック無しを示している場合は、無条件で前記マイテーマの内容の変更を許可するマイテーマ作成変更手段、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可する利用期間設定変更手段として機能させるプログラム。
【請求項７】
請求項６記載のプログラムにおいて、
前記ユーザ設定が可能な複数の項目が、待ち受け画面、着信メロディおよび着信画面を含むことを特徴とするプログラム。
【発明の詳細な説明】
【技術分野】
【０００１】
本発明は、待ち受け画面、着信メロディ、着信画面などのようにユーザ設定が可能な項目を複数有する携帯電話機などの携帯端末に関し、特に、各項目において利用する画像データや音声データを携帯端末の利用時期に応じて自動的に変更する技術に関する。
【背景技術】
【０００２】
携帯電話機などの携帯端末には、待ち受け画面、着信メロディ、着信画面などのようにユーザ設定が可能な項目が多数存在しており、ユーザが各項目について利用する画像データや音声データを選択することにより、ユーザの好みに合った待ち受け画面、着信メロディ、着信画面などを利用できるようになっている。
【０００３】
ところで、携帯端末のユーザの中には、例えば、朝は明るい着信メロディや待ち受け画面を使用し、夜は落ち着いた着信メロディや待ち受け画面を使用したいと思っているユーザや、休日と平日とで異なる着信メロディや待ち受け画面を使用したいと思っているユーザもいる。しかし、従来の一般的な携帯端末は、ユーザ自身が設定変更操作を行わなければ、着信メロディなどを変更することができないため、上記したように朝と夜、平日と休日で着信メロディ等を変更するようにした場合には、ユーザにかかる負担が大きなものになってしまう。
【０００４】
そこで、このような問題点を解決するため、従来、ユーザによって指定された変更時刻および変更内容（変更後に使用する待ち受け画面データの識別子など）を管理する時間管理手段と、この時間管理手段で管理されている変更時刻になったとき、複数の待ち受け画面データ等が格納されているデータフォルダから、上記変更内容によって示されるデータを取り出し、取り出したデータに従って待ち受け画面の表示などを行うデータ取り出し変更手段とを備えた携帯端末が提案された（例えば、特許文献１参照）。
【０００５】
【特許文献１】特開２００２−１４１９８２号公報
【発明の開示】
【発明が解決しようとする課題】
【０００６】
上述した特許文献１に記載されている従来の技術によれば、ユーザが変更時刻および変更内容を指定しておけば、変更時刻になったとき、待ち受け画面などを自動的に変更することが可能になる。しかしながら、上述した従来の技術には、次のような問題点がある。
【０００７】
近年、第３世代の携帯端末が多く利用されるようになってきており、第３世代の携帯端末は、電話番号などが格納されたＳＩＭ(subscriber identity module)を差し替えれば、その電話番号の携帯端末として使用できる。このため、携帯端末本体のみを他のユーザに貸し出し、上記他のユーザが自身のＳＩＭを携帯端末に差し込み、自身の携帯端末として使用するということが頻繁に行われるようになってきている。
【０００８】
特許文献１に記載されている従来の技術は、携帯端末の貸し借りが行われるということを考慮していないため、貸し出し先のユーザによって変更時刻や変更内容が変更されてしまう場合がある。このような場合、貸し出し元のユーザは、携帯端末が戻されてきたときに、変更時刻や変更内容を設定し直すか、或いは、貸し出し先のユーザによって変更された、貸し出し元のユーザの好みに合わない待ち受け画面などを使用し続けなければならない。
【０００９】
〔発明の目的〕
そこで、本発明の目的は、利用時期に応じて待ち受け画面などを変更するための情報を、貸し出し先のユーザによって変更されないようにすることができる携帯端末を提供することにある。
【課題を解決するための手段】
【００１０】
本発明にかかる第１の携帯端末は、
ユーザ設定が可能な複数の項目それぞれに対する使用データの識別子およびロックの有無を示すロック有無情報を含んだマイテーマが格納されたマイテーマ記憶部と、
各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、
現時点において各項目で使用しているデータの識別子が格納される現設定情報保持部と、
前記期間別利用マイテーマ特定情報記憶部の内容に基づいて、前記マイテーマ記憶部からマイテーマを選択し、選択したマイテーマの内容を前記現設定情報保持部に反映させる変更手段と、
ユーザによってマイテーマの変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの変更を許可するマイテーマ作成変更手段と、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可する利用期間設定変更手段とを備えたことを特徴とする。
【００１１】
本発明にかかる第２の携帯端末は、
ユーザ設定が可能な複数の項目それぞれに対する使用データの識別子を含んだマイテーマが、電話番号に対応付けて格納されたマイテーマ記憶部と、
各期間において前記マイテーマ記憶部に格納されているマイテーマの内のどのマイテーマを使用するのかを示す期間別利用マイテーマ特定情報が、電話番号に対応付けて格納された期間別利用マイテーマ特定情報記憶部と、
電話番号が格納されたＳＩＭと、
現時点において各項目で使用しているデータの識別子が格納される現設定情報保持部と、
前記期間別利用マイテーマ特定情報記憶部の内容に基づいて、前記マイテーマ記憶部からマイテーマを選択し、選択したマイテーマの内容を前記現設定情報保持部に反映させる変更手段と、
ユーザによってマイテーマの変更が指示されたとき、前記マイテーマ記憶部に格納されているマイテーマの内の、前記ＳＩＭ中の電話番号と対応付けて登録されているマイテーマの変更を許可するマイテーマ作成変更手段と、
ユーザによって前記期間別利用マイテーマ特定情報の変更が指示されたとき、前記期間別利用マイテーマ特定情報記憶部に格納されている期間別利用マイテーマ特定情報の内の、前記ＳＩＭ中の電話番号と対応付けて登録されている期間別利用マイテーマ特定情報の変更を許可する利用期間設定変更手段とを備えたことを特徴とする。
【００１２】
本発明にかかる第３の携帯端末は、第１または第２の携帯端末において、
ユーザによって、前記マイテーマ記憶部に格納されているマイテーマの内の何れかが選択されたとき、該選択されたマイテーマの内容を前記現設定情報保持部に反映させるマイテーマ選択手段とを備えたことを特徴とする。
【００１３】
本発明にかかる第４の携帯端末は、第１〜第３の携帯端末において、
前記ユーザ設定が可能な複数の項目が、待ち受け画面、着信メロディおよび着信画面を含むことを特徴とする。
【００１４】
本発明にかかる第１の設定変更方法は、
ユーザ設定が可能な複数の項目それぞれに対する使用データの識別子およびロックの有無を示すロック有無情報を含んだマイテーマが格納されたマイテーマ記憶部と、各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、
現時点において各項目で使用しているデータの識別子が格納される現設定情報保持部とを備えた携帯端末において、
前記期間別利用マイテーマ特定情報記憶部の内容に基づいて、前記マイテーマ記憶部からマイテーマを選択し、選択したマイテーマの内容を前記現設定情報保持部に反映させる変更手段と、
ユーザによってマイテーマの変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの変更を許可し、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可することを特徴とする。
【００１５】
本発明にかかる第２の設定変更方法は、
ユーザ設定が可能な複数の項目それぞれに対する使用データの識別子を含んだマイテーマが、電話番号に対応付けて格納されたマイテーマ記憶部と、各期間において前記マイテーマ記憶部に格納されているマイテーマの内のどのマイテーマを使用するのかを示す期間別利用マイテーマ特定情報が、電話番号に対応付けて格納された期間別利用マイテーマ特定情報記憶部と、電話番号が格納されたＳＩＭと、現時点において各項目で使用しているデータの識別子が格納される現設定情報保持部とを備えた携帯端末において、
前記期間別利用マイテーマ特定情報記憶部の内容に基づいて、前記マイテーマ記憶部からマイテーマを選択し、選択したマイテーマの内容を前記現設定情報保持部に反映させ、
ユーザによってマイテーマの変更が指示されたとき、前記マイテーマ記憶部に格納されているマイテーマの内の、前記ＳＩＭ中の電話番号と対応付けて登録されているマイテーマの変更を許可し、
ユーザによって前記期間別利用マイテーマ特定情報の変更が指示されたとき、前記期間別利用マイテーマ特定情報記憶部に格納されている期間別利用マイテーマ特定情報の内の、前記ＳＩＭ中の電話番号と対応付けて登録されている期間別利用マイテーマ特定情報の変更を許可することを特徴とする。
【００１６】
本発明にかかる第３の設定変更方法は、第１または第２の設定変更方法において、
前記ユーザ設定が可能な複数の項目が、待ち受け画面、着信メロディおよび着信画面を含むことを特徴とする。
【００１７】
本発明にかかる第１のプログラムは、
ユーザ設定が可能な複数の項目それぞれに対する使用データの識別子およびロックの有無を示すロック有無情報を含んだマイテーマが格納されたマイテーマ記憶部と、各期間において前記マイテーマ記憶部に格納されているマイテーマの内のどのマイテーマを使用するのかを示す期間別利用マイテーマ特定情報およびロックの有無を示すロック有無情報が格納された期間別利用マイテーマ特定情報記憶部と、現時点において各項目で使用しているデータの識別子が格納される現設定情報保持部を備えたコンピュータを、
前記期間別利用マイテーマ特定情報記憶部の内容に基づいて、前記マイテーマ記憶部からマイテーマを選択し、選択したマイテーマの内容を前記現設定情報保持部に反映させる変更手段、
ユーザによってマイテーマの変更が指示されたとき、前記マイテーマ記憶部に格納されているマイテーマの内の、前記ユーザによって指示されたマイテーマ中のロック有無情報がロック有りを示している場合は、前記ユーザによって正しいパスワードが入力されたことを条件にして、前記マイテーマの変更を許可するマイテーマ作成変更手段、
ユーザによって前記期間別利用マイテーマ特定情報の変更が指示されたとき、前記期間別利用マイテーマ特定情報中のロック有無情報がロック有りを示している場合は、前記ユーザによって正しいパスワードが入力されたことを条件にして前記期間別利用マイテーマ特定情報の変更を許可する利用期間設定変更手段として機能させる。
【００１８】
本発明にかかる第２のプログラムは、
ユーザ設定が可能な複数の項目それぞれに対する使用データの識別子を含んだマイテーマが、電話番号に対応付けて格納されたマイテーマ記憶部と、各期間において前記マイテーマ記憶部に格納されているマイテーマの内のどのマイテーマを使用するのかを示す期間別利用マイテーマ特定情報が、電話番号に対応付けて格納された期間別利用マイテーマ特定情報記憶部と、電話番号が格納されたＳＩＭと、現時点において各項目で使用しているデータの識別子が格納される現設定情報保持部とを備えたコンピュータを、
前記期間別利用マイテーマ特定情報記憶部の内容に基づいて、前記マイテーマ記憶部からマイテーマを選択し、選択したマイテーマの内容を前記現設定情報保持部に反映させる変更手段、
ユーザによってマイテーマの変更が指示されたとき、前記マイテーマ記憶部に格納されているマイテーマの内の、前記ＳＩＭ中の電話番号と対応付けて登録されているマイテーマの変更を許可するマイテーマ作成変更手段、
ユーザによって前記期間別利用マイテーマ特定情報の変更が指示されたとき、前記期間別利用マイテーマ特定情報記憶部に格納されている期間別利用マイテーマ特定情報の内の、前記ＳＩＭ中の電話番号と対応付けて登録されている期間別利用マイテーマ特定情報の変更を許可する利用期間設定変更手段として機能させる。
【００１９】
本発明にかかる第３のプログラムは、第１または第２のプログラムにおいて、
前記ユーザ設定が可能な複数の項目が、待ち受け画面、着信メロディおよび着信画面を含むことを特徴とする。
【００２０】
〔作用〕
マイテーマ記憶部には、ユーザ設定が可能な複数の項目それぞれに対する使用データの識別子およびロックの有無を示すロック有無情報を含んだマイテーマが格納され、期間別利用マイテーマ特定情報記憶部には、各期間において上記マイテーマ記憶部に格納されているマイテーマの内のどのマイテーマを使用するのかを示す期間別利用マイテーマ特定情報およびロックの有無を示すロック有無情報を含んだ期間別利用マイテーマ特定情報が格納される。マイテーマ作成変更手段は、ユーザによってマイテーマの変更が指示されたとき、上記マイテーマ記憶部に格納されているマイテーマの内の、ユーザによって指示されたマイテーマ中のロック有無情報がロック有りを示している場合は、ユーザによって正しいパスワードが入力されたことを条件にして、上記マイテーマの変更を許可する。また、期間設定変更手段は、ユーザによって期間別利用マイテーマ特定情報の変更が指示されたとき、上記期間別利用マイテーマ特定情報中のロック有無情報がロック有りを示している場合は、ユーザによって正しいパスワードが入力されたことを条件にして上記期間別利用マイテーマ特定情報の変更を許可する。
【発明の効果】
【００２１】
本発明によれば、利用時期に応じて待ち受け画面などを変更するための情報を、貸し出し先のユーザによって変更されないようにすることができる。その理由は、ユーザによってマイテーマの変更が指示されたとき、マイテーマ記憶部に格納されているマイテーマの内の、ユーザによって指示されたマイテーマ中のロック有無情報がロック有りを示している場合は、ユーザによって正しいパスワードが入力されたことを条件にして、マイテーマの変更を許可するマイテーマ作成変更手段と、ユーザによって期間別利用マイテーマ特定情報の変更が指示されたとき、期間別利用マイテーマ特定情報中のロック有無情報がロック有りを示している場合は、ユーザによって正しいパスワードが入力されたことを条件にして期間別利用マイテーマ特定情報の変更を許可する利用期間設定変更手段とを備えているからである。
【発明を実施するための最良の形態】
【００２２】
次に本発明の実施の形態について図面を参照して詳細に説明する。
【００２３】
〔第１の実施の形態の構成〕
図１は、本発明にかかる携帯端末の第１の実施の形態の構成例を示すブロック図である。同図を参照すると、本実施の形態の携帯端末１は、アンテナ２と、送受信手段３と、制御部４と、テンキーやカーソルキー等を含む入力部５と、ＬＣＤなどの表示部６と、スピーカ７と、マイクロフォン８と、記憶部９とを含んでいる。
【００２４】
記憶部９には、図２に示すように、利用可能データ記憶部９１と、マイテーマ記憶部９２と、期間別利用マイテーマ特定情報記憶部９３と、標準設定情報記憶部９４と、パスワード記憶部９５とが設けられている。
【００２５】
利用可能データ記憶部９１には、ユーザ設定が可能な各項目毎に、その項目において利用可能なデータが、そのデータを一意に識別する識別子に対応付けて登録されている。
【００２６】
図３は、利用可能データ記憶部９１の一例を示す図であり、待ち受け画面記憶部９１１と、着信メロディ記憶部９１２と、着信画面記憶部９１３とが設けられている。
【００２７】
待ち受け画面記憶部９１１には、複数の待ち受け画面データａａａａ、ｂｂｂｂ、…が、識別子ＭＧ１、ＭＧ２、…に対応付けて格納されている。着信メロディ記憶部９１２には、複数の着信メロディデータｃｃｃｃ、ｄｄｄｄ、…が、識別子ＴＭ１、ＴＭ２、…に対応付けて格納されている。着信画面記憶部９１３には、複数の着信画面データｅｅｅｅ、ｆｆｆｆ、…が、識別子ＴＧ１、ＴＧ２、…に対応付けて登録されている。
【００２８】
マイテーマ記憶部９２には、ユーザ設定が可能な各項目に対する使用データの識別子、ロックの有無を示すロック有無情報、およびマイテーマ名を含んだマイテーマが、そのマイテーマを一意に識別する識別子と対応付けて登録されている。
【００２９】
図４の例は、識別子ＭＹ１によって特定されるマイテーマは、各項目「待ち受け画面、着信メロディ、着信画像、…」に対する使用データの識別子が「ＭＧ７、ＴＭ２、ＴＧ１、…」、マイテーマ名が「会社用」で、ロックがかけられていないことを示している。なお、後で詳しく説明するが、ロックがかけられているマイテーマを変更する場合には、パスワードの入力が必要になる。
【００３０】
期間別利用マイテーマ特定情報記憶部９３には、各期間においてマイテーマ記憶部９２に格納されているマイテーマの内の、どのマイテーマを使用するのかを示す期間別利用マイテーマ特定情報およびロックの有無を示すロック有無情報が格納される。
【００３１】
図５は、期間別利用マイテーマ特定情報記憶部９３の一例を示す図である。同図を参照すると、期間別利用マイテーマ特定情報記憶部９３には、月別利用マイテーマ記憶部９３１と、曜日別利用マイテーマ記憶部９３２と、時間帯別利用マイテーマ記憶部９３３と、ロック有無情報記憶部９３４とが設けられている。
【００３２】
月別利用マイテーマ記憶部９３１には、１月〜１２月の各月において利用するマイテーマの識別子が登録されている。図５の例では、１月だけ、利用するマイテーマ（識別子ＭＹ３のマイテーマ）が設定されており、他の月は、設定されていない。
【００３３】
曜日別利用マイテーマ記憶部９３２には、月曜〜日曜の各曜日において利用するマイテーマの識別子が登録されている。図５の例では、土曜および日曜だけ、利用するマイテーマ（識別子ＭＹ７のマイテーマ）が指定されており、他の曜日は、設定されていない。
【００３４】
時間帯別利用マイテーマ記憶部９３３には、０時台〜２３時台の各時間帯において利用するマイテーマの識別子が登録されている。図５の例は、７時台〜１１時台では識別子ＭＹ１のマイテーマを使用し、１２時台〜１８時台では識別子ＭＹ５のマイテーマを使用し、１９時台〜２３時台では識別子ＭＹ２のマイテーマを使用することが設定されている。なお、０時台〜６時台は、利用するマイテーマが設定されていない。
【００３５】
ロック有無情報記憶部９３４には、ロックをかけるか否かを示すロック有無情報が登録されている。図５の例では、ロックがかけられている。
【００３６】
標準設定情報記憶部９４には、ユーザ設定が可能な各項目に対する標準的な使用データの識別子が登録されている。なお、工場出荷時には、デフォルト値が設定されている。
【００３７】
図６は、標準設定情報記憶部９４の内容例を示す図である。同図の例は、各項目「待ち受け画面、着信メロディ、着信画面、…」に対する使用データの識別子が「ＭＧ１、ＴＭ１、ＴＧ１、…」であることを示している。
【００３８】
パスワード記憶部９５には、ユーザのパスワードが登録されている。
【００３９】
送受信手段３は、アンテナ２を介して発呼信号、着呼信号、音声データ、画像データなどを送受信する機能を有する。
【００４０】
制御部４は、通常の通信機能に加え、各項目において利用する画像データや音声データを携帯端末１の利用時期に応じて変更する機能を有する。
【００４１】
図７は、制御部４の構成例を示す図であり、通信手段４１と、マイテーマ作成変更手段４２と、マイテーマ選択手段４３と、利用期間設定手段４４と、標準設定変更手段４５と、変更手段４６と、時計４７と、現設定情報保持部４８と、表示制御手段４９とを備えている。
【００４２】
現設定情報保持部４８には、ユーザ設定が可能な各項目に対する、現在使用しているデータの識別子が格納されている。
【００４３】
通信手段４１は、発呼処理、着呼処理、通話処理などを行う機能を有する。なお、着呼があった場合は、現設定情報保持部４８から項目「着信メロディ」に対する識別子を入力し、着信メロディ記憶部９１２に登録されている着信メロディデータの内の、上記識別子に対応付けて登録されている着信メロディデータを利用してスピーカ７から着信メロディを出力する。
【００４４】
マイテーマ作成変更手段４２は、入力部５から入力されるユーザの指示に従ってマイテーマを作成し、作成したマイテーマをマイテーマ記憶部９２に格納する機能や、マイテーマ記憶部９２に格納されているマイテーマの内容を変更する機能などを有する。
【００４５】
マイテーマ選択手段４３は、マイテーマ記憶部９２に格納されているマイテーマの内の、ユーザによって選択されたマイテーマの内容を現設定情報保持部４８に反映させる機能を有する。即ち、現設定情報保持部４８に格納されている、各項目に対する識別子を、マイテーマ中に該当する識別子で置き換える機能を有する。
【００４６】
利用期間設定手段４４は、入力部５から入力されるユーザの指示に従って、期間別利用マイテーマ特定情報記憶部９３に、各期間において利用するマイテーマを示す識別子を登録したり、登録済みの識別子を変更する機能を有する。
【００４７】
標準設定変更手段４５は、入力部５から入力されるユーザの指示に従って、標準設定情報記憶部９４に格納されている、該当する項目に対する使用データを示す識別子を変更する機能を有する。
【００４８】
時計４７は、年、月、日、時、分、秒および曜日を表示する機能を有する。
【００４９】
変更手段４６は、時計４７の表示内容と期間別利用マイテーマ特定情報記憶部９３の記憶内容とに基づいて、該当するマイテーマの内容或いは標準設定情報記憶部９４の内容を、現設定情報保持部４８に反映させることにより、待ち受け画面、着信メロディ、待ち受け画面などを変更する機能を有する。
【００５０】
表示制御手段４９は、表示部６に画像を表示する機能を有する。その際、ユーザ設定が可能な項目（例えば、待ち受け画面、着信画面など）に関する表示を行う場合は、現設定情報保持部４８から該当する項目に対する識別子を入力し、利用可能データ記憶部９１に登録されているデータの内の、上記識別子に対応するデータを利用して表示を行う。例えば、待ち受け画面の表示を行う場合は、現設定情報保持部４８から項目「待ち受け画面」に対する識別子（例えば、ＭＧ１）を入力し、待ち受け画面記憶部９１１に登録されている待ち受け画像データの内の、識別子ＭＧ１に対応する待ち受け画面データを使用して表示部６に待ち受け画面を表示する。
【００５１】
上記した機能を備えている制御部４は、コンピュータ（ＣＰＵ）によって実現可能であり、コンピュータによって実現する場合には、例えば、次のようにする。コンピュータを制御部４として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、通信手段４１、マイテーマ作成変更手段４２、マイテーマ選択手段４３、利用期間設定手段４４、標準設定変更手段４５、変更手段４６、時計４７、および表示制御手段４９を実現する。
【００５２】
〔第１の実施の形態の動作〕
次に、本実施の形態の動作について詳細に説明する。
【００５３】
先ず、マイテーマ作成時の動作について説明する。ユーザは、マイテーマの作成時、入力部５を用いてマイテーマ作成変更手段４２を起動し、その後、マイテーマの作成を指示する。
【００５４】
これにより、マイテーマ作成変更手段４２は、現設定情報保持部４８から各項目（待ち受け画面、着信メロディなど）に対して設定されている使用データを示す識別子を入力する（ステップＳ８１）。その後、マイテーマ作成変更手段４２は、ランダム設定を利用してマイテーマを作成するか否かを問い合わせる、図９に示すような問い合わせ画面９０１を表示部６に表示する（ステップＳ８２）。この問い合わせ画面９０１には、ランダム設定を利用するか否かの選択欄９０２、９０３と、決定ボタン９０４とが設けられている。
【００５５】
ユーザは、ランダム設定を利用しない場合は、選択欄９０２をチェックした後、決定ボタン９０４を操作し、ランダム設定を利用する場合は、選択欄９０３をチェックした後、決定ボタン９０４を操作する。
【００５６】
マイテーマ作成変更手段４２は、選択欄９０２がチェックされている場合（ステップＳ８３がＮＯ）は、図１０に示すようなマイテーマ作成画面１０１を表示部６に表示する（ステップＳ８４）。このマイテーマ作成画面１０１には、作成したマイテーマに付与するマイテーマ名の入力欄１０２と、作成したマイテーマにロックをかけるか否かを選択するための選択欄１０３、１０４と、各項目において使用するデータの識別子を入力する入力欄１０５−１、１０５−２、１０５−３、…と、決定ボタン１０６とが設けられている。
【００５７】
ユーザは、マイテーマ作成画面１０１が表示部６に表示されると、マイテーマ名（例えば、会社用、休日用など）を入力欄１０２に入力し、ロックをかけるか否かを選択欄１０３、１０４を用いて指定する。各入力欄１０５−１、１０５−２、１０５−３、…には、ステップＳ８１で入力した、各項目において現在使用しているデータの識別子が表示されており、ユーザは、マイテーマにおいて使用するデータを現時点で使用されているデータと異なるものにしたい項目がある場合は、その項目に対応する入力欄中の識別子をマイテーマにおいて使用したいデータの識別子に変更する。その際、ユーザが入力部５を用いて直接該当する入力欄にマイテーマで使用したいデータの識別子を入力するようにしても良いが、各項目毎に利用可能なデータの一覧を表示し、ユーザによって選択されたデータの識別子を該当する入力欄に設定する方法などを採用することもできる。ユーザは、必要事項を全て入力、選択すると、決定ボタン１０６を操作する。
【００５８】
これにより、マイテーマ作成変更手段４２は、マイテーマ作成画面１０１上で入力された各種情報に基づいてマイテーマを作成し、作成したマイテーマに識別子を付与してマイテーマ記憶部９２に格納する（ステップＳ８５、Ｓ８８）。即ち、マイテーマ名を入力欄１０２に入力された内容とし、各項目に対する識別子を各入力欄１０５−１、１０５−２、１０５−３、…に入力された内容とし、ロック有無情報を選択欄１０３、１０４の選択結果に応じたものにしたマイテーマを作成し、それに識別子を付与してマイテーマ記憶部９２に格納する。
【００５９】
これに対して、問い合わせ画面９０１上の選択欄９０３がチェックされている場合（ステップＳ８３がＹＥＳ）は、図１１に示すような、ランダム設定利用マイテーマ作成画面１１１を表示部６に表示する（ステップＳ８６）。このランダム設定利用マイテーマ作成画面１１１には、マイテーマ名の入力欄１１２と、ロックをかけるか否かを選択するための選択欄１１３、１１４と、利用するデータをランダム設定する項目を選択するための選択欄１１５−１、１１５−２、１１５−３、…と、決定ボタン１１６とが設けられている。
【００６０】
ユーザは、ランダム設定利用マイテーマ作成画面１１１が表示されると、入力欄１１２にマイテーマ名を入力し、選択欄１１３、１１４を用いてロックをかけるか否かを指定し、選択欄１１５−１、１１５−２、１１５−３、…を用いてランダム設定を行う項目を指定する。その後、ユーザは、決定ボタン１１６を操作する。
【００６１】
これにより、マイテーマ作成変更手段４２は、ランダム設定利用マイテーマ作成画面１１１上で入力された各種情報を利用してマイテーマを作成し、作成したマイテーマに識別子を付与してマイテーマ記憶部９２に格納する（ステップＳ８７、Ｓ８８)。なお、この時、作成されるマイテーマは、次のようなものとなる。即ち、マイテーマ名は、入力欄１１２に入力された内容となり、ロック有無情報は、選択欄１１３、１１４の選択結果に応じた内容となる。また、各項目に対する識別子は、それぞれ次のようになる。選択欄１１５−１、１１５−２、１１５−３、…の内の対応する選択欄がチェックされている項目、即ちランダム設定が指示されている項目の識別子は、その項目において利用できるデータの識別子の中から１つをランダムに選択し、選択した識別子をその項目に対する識別子とする。ランダム設定が指定されていない項目の識別子は、ステップＳ８１で入力した識別子の内の、該当する識別子とする。
【００６２】
次に、既にマイテーマ記憶部９２に登録されているマイテーマの内容を変更する場合の動作について説明する。この場合、ユーザは、入力部５からマイテーマ作成変更手段４２を起動し、マイテーマの変更を指示する。
【００６３】
これにより、マイテーマ作成変更手段４２は、図１２のフローチャートに示すように、マイテーマ記憶部９２に登録されているマイテーマの一覧を表示部６に表示し、ユーザに変更対象にするマイテーマを選択させる（ステップＳ１２１）。ユーザが変更対象にするマイテーマを選択すると、そのマイテーマ中のロック有無情報がロック有りを示しているか否かを調べる（ステップＳ１２２）。
【００６４】
そして、ロック有りを示している場合（ステップＳ１２２がＹＥＳ）は、表示部６にパスワード入力画面を表示し、ユーザにパスワードを入力させる（ステップＳ１２３）。ユーザが入力したパスワードがパスワード記憶部９５に格納されているパスワードと一致した場合、即ちユーザが正しいパスワードを入力した場合（ステップＳ１２４がＹＥＳ）は、図１３に示すようなマイテーマ変更画面１３１を表示部６に表示し（ステップＳ１２５）、正しいパスワードが入力されなかった場合（ステップＳ１２４がＮＯ）は、エラー処理を行った後（ステップＳ１２８）、その処理を終了する。また、ステップＳ１２２において、変更対象にするマイテーマがロックされていないと判断した場合も、マイテーマ変更画面１３１を表示部６に表示する（ステップＳ１２５）。
【００６５】
図１３に示すマイテーマ変更画面１３１には、マイテーマ名の入力欄１３２と、ロック有無情報に入力欄１３３と、各項目に対する識別子の入力欄１３４−１、１３４−２、１３４−３、…と、決定ボタン１３５とが設けられている。なお、初期状態においては、各入力欄には、変更対象にしているマイテーマの、現在の該当する項目の値が表示されている。ユーザは、変更したい項目に対応する入力欄に変更後の値を入力し、その後、決定ボタン１３５を操作する。
【００６６】
これにより、マイテーマ作成変更手段４２は、マイテーマ変更画面１３１上で入力された各情報を利用して変更後のマイテーマを作成し、マイテーマ記憶部９２に登録されている変更前のマイテーマと置き換える（ステップＳ１２６、Ｓ１２７）。
【００６７】
次に、期間別利用マイテーマ特定情報の作成時の動作を説明する。ユーザは、期間別利用マイテーマ特定情報を作成する場合、入力部５から利用期間設定手段４４を起動する。
【００６８】
これにより、利用期間設定手段４４は、図１４のフローチャートに示すように、期間別利用マイテーマ特定情報記憶部９３内のロック有無情報記憶部９３４に登録されているロック有無情報がロック有りを示しているか否かを調べる（ステップＳ１４１）。
【００６９】
そして、ロック有りを示している場合（ステップＳ１４１がＹＥＳ）は、表示部６にパスワード入力画面を表示し、ユーザにパスワードを入力させる（ステップＳ１４２）。正しいパスワードが入力された場合（ステップＳ１４３がＹＥＳ）は、図１５に示すような期間別利用マイテーマ特定情報設定画面１５１を表示し（ステップＳ１４４）、正しいパスワードが入力されなかった場合（ステップＳ１４３がＮＯ）は、エラー処理を行った後（ステップＳ１４７）、処理を終了する。また、ステップＳ１４１でロック無しと判断した場合も、図１５に示すような期間別利用マイテーマ特定情報設定画面１５１を表示する（ステップＳ１４４）。
【００７０】
図１５に示す期間別利用マイテーマ特定情報設定画面１５１には、１月〜１２月の各月において利用するマイテーマの識別子の入力欄１５２と、月曜〜日曜の各曜日で利用するマイテーマの識別子の入力欄１５３と、０時台〜２３時台の各時間帯で利用するマイテーマの識別子の入力欄１５４と、ロックをかけるか否かを選択するための選択欄１５５と、決定ボタン１５６とが設けられている。ユーザは、各入力欄に、その時期に使用するマイテーマの識別子を入力する。例えば、１月に識別子ＭＹ３のマイテーマを使用したい場合には、入力欄１５２の１月に対応する部分にＭＹ３を入力する。更に、ユーザは、選択欄１５５を用いてロックをかけるか否かを選択する。その後、ユーザは、決定ボタン１５６を操作する。
【００７１】
これにより、利用期間設定手段４４は、期間別利用マイテーマ特定情報設定画面１５１上で入力された各情報に従って期間別利用マイテーマ特定情報を作成し、作成した期間別利用マイテーマ特定情報を期間別利用マイテーマ特定情報記憶部に格納（上書き）する（ステップＳ１４５、Ｓ１４６）。
【００７２】
次に、標準設定情報記憶部９４に格納されている各項目の標準設定を変更する場合の動作について説明する。
【００７３】
ユーザは、標準設定情報記憶部９４に格納されている各項目の標準設定を変更する場合、入力部５を用いて標準設定変更手段４５を起動する。これにより、標準設定変更手段４５は、図１６のフローチャートに示すように、現設定情報保持部４８から各項目に対して設定されている識別子を入力し（ステップＳ１６１）、その後、図１７に示すような標準設定変更画面１７１を表示する（ステップＳ１６２）。図１７に示した標準設定変更画面１７１には、各項目において使用するデータの識別子を入力する入力欄１７２−１、１７２−２、１７２−３、…と、決定ボタン１７３とが設けられている。
【００７４】
各入力欄１７２−１、１７２−２、１７２−３、…には、ステップＳ１６１で入力した、各項目において現在使用しているデータの識別子が表示されており、ユーザは、使用データを変更したい項目がある場合には、その項目の入力欄に、変更後の識別子を入力する。その後、ユーザは、決定ボタン１７３を操作する。
【００７５】
これにより、標準設定変更手段４４は、標準設定変更画面１７１の各入力欄１７２−１、１７２−２、１７２−３、…に入力されている情報に基づいて標準設定情報を作成し、作成した標準設定情報を標準設定情報記憶部９４に格納（上書き）する（ステップＳ１６３、Ｓ１６４）。
【００７６】
次に、待ち受け画面、着信メロディなどの各項目において使用するデータを、使用時期に応じて変更する変更手段４６の動作を説明する。
【００７７】
変更手段４６は、携帯端末１の電源がＯＮとなると、図１８のフローチャートに示す処理を開始する。
【００７８】
先ず、変更手段４６は、期間別利用マイテーマ特定情報記憶部９３内の月別利用マイテーマ記憶部９３１を参照し、時計４７が表示している現在の月に対するマイテーマが設定されているか否かを調べる（ステップＳ１８１）。月別利用マイテーマ記憶部９３１の内容が図５に示すものであるとすると、１月のみマイテーマの識別子ＭＹ３が設定されているので、現在の月が１月である場合のみ、ステップＳ１８１の判断結果がＹＥＳとなる。
【００７９】
現在の月が１月であり、ステップＳ１８１の判断結果がＹＥＳとなった場合は、変更手段４６は、マイテーマ記憶部９２に格納されている識別子ＭＹ３のマイテーマに従って、現設定情報保持部４８に、各項目において使用するデータの識別子を設定する（ステップＳ１８５）。
【００８０】
これに対して、ステップＳ１８１の判断結果がＮＯとなった場合は、曜日別利用マイテーマ記憶部９３２を参照し、時計４７が表示している現在の曜日に対するマイテーマが設定されているか否かを調べる（ステップＳ１８２）。曜日別利用テーマ記憶部９３２の内容が、図５に示すものであるとすると、土曜、日曜のみマイテーマの識別子ＭＹ７が設定されているので、現在の曜日が土曜あるいは日曜である場合のみ、ステップＳ１８２の判断結果がＹＥＳとなる。
【００８１】
現在の曜日が土曜あるいは日曜であり、ステップＳ１８２の判断結果がＹＥＳとなった場合は、マイテーマ記憶部９２に格納されている識別子ＭＹ７のマイテーマに従って、現設定情報保持部４８に、各項目において使用するデータの識別子を設定する（ステップＳ１８５）。
【００８２】
これに対して、ステップＳ１８２の判断結果がＮＯとなった場合は、時間帯別利用マイテーマ記憶部９３３を参照し、時計４７が表示している現在の時間帯に対するマイテーマが設定されているか否かを調べる（ステップＳ１８３）。時間帯別利用マイテーマ記憶部９３３の内容が図５に示すものであるとすると、現在の時間帯が０時台〜６時台の場合は、ステップＳ１８３の判断結果がＮＯとなり、７時台〜２３時台の場合は、ステップＳ１８３の判断結果がＹＥＳとなる。
【００８３】
今、例えば、現在の時間帯が１８時台であり、ステップＳ１８３の判断結果がＹＥＳとなった場合は、マイテーマ記憶部９２に格納されている識別子ＭＹ５のマイテーマに従って、現設定情報保持部４８に、各項目において使用するデータの識別子を設定する（ステップＳ１８５）。
【００８４】
これに対して、ステップＳ１８３の判断結果がＮＯとなった場合は、標準設定情報記憶部９４の内容に従って、現設定情報保持部４８に、各項目において使用するデータの識別子を設定する（ステップＳ１８４）。
【００８５】
ステップＳ１８５或いはステップＳ１８４の処理が終了すると、変更手段４６は、時間帯が次の時間帯になるのを待ち（ステップＳ１８６）、次の時間帯になると、再びステップＳ１８１の処理を行う。
【００８６】
次に、現設定情報保持部４８に、ユーザが選択したマイテーマの内容を反映させる場合の動作を説明する。この場合、ユーザは、入力部５を用いてマイテーマ選択手段４３を起動する。
【００８７】
これにより、マイテーマ選択手段４３は、図１９のフローチャートに示すように、マイテーマ記憶部９２に格納されているマイテーマの一覧を表示する（ステップＳ１９１）。ユーザは、表示されているマイテーマの一覧の中から、現設定情報保持部４８にその内容を反映させるマイテーマを選択する。マイテーマ選択手段４３は、ユーザによってマイテーマが選択されると、そのマイテーマの内容に従って、現設定情報保持部４８に、各項目において使用するデータの識別子を設定する（ステップＳ１９２）。
【００８８】
〔実施の形態の効果〕
本実施の形態によれば、利用時期に応じて待ち受け画面などを変更するための情報を、貸し出し先のユーザによって変更されないようにすることができる。その理由は、ユーザによってマイテーマの変更が指示されたとき、マイテーマ記憶部９２に格納されているマイテーマの内の、ユーザによって指示されたマイテーマ中のロック有無情報がロック有りを示している場合は、ユーザによって正しいパスワードが入力されたことを条件にして、マイテーマの変更を許可するマイテーマ作成変更手段４２とユーザによって期間別利用マイテーマ特定情報の変更が指示されたとき、期間別利用マイテーマ特定情報中のロック有無情報がロック有りを示している場合は、ユーザによって正しいパスワードが入力されたことを条件にして期間別利用マイテーマ特定情報の変更を許可する利用期間設定手段４４とを備えているからである。
【００８９】
また、本実施の形態によれば、ユーザが容易に使用する待ち受け画面などを変更することができる。その理由は、現時点において各項目で使用しているデータの識別子が格納される現設定情報保持部４８と、ユーザによって、マイテーマ記憶部９２に格納されているマイテーマの内の何れかが選択されたとき、上記選択されたマイテーマの内容を現設定情報保持部４８に反映させるマイテーマ選択手段４３とを備えているからである。
【００９０】
〔第２の実施の形態〕
次に、本発明にかかる携帯端末の第２の実施の形態について説明する。本実施の形態は、ユーザがロック有無情報の設定操作を行わなくとも、他のユーザによってマイテーマや、期間別利用マイテーマ特定情報が変更されないようにしたことを特徴とする。
【００９１】
〔第２の実施の形態の構成〕
図２０は、本発明にかかる携帯端末の第２の実施の形態の構成例を示すブロック図である。本実施の形態にかかる携帯端末１ａと、図１に示した第１の実施の形態にかかる携帯端末１との相違点は、制御部４の代わりに制御部４ａを備えている点、記憶部９の代わりに記憶部９ａを備えている点、ＳＩＭ１１及びＳＩＭ１１が挿入されるコネクタ１０が追加されている点である。
【００９２】
ＳＩＭ１１には、電話番号が登録されており、携帯端末１ａは、コネクタ１０に差し込まれたＳＩＭ１１に登録されている電話番号の携帯端末として機能する。即ち、コネクタ１０に差し込むＳＩＭ１１を代えることにより、他の電話番号の携帯端末として動作する。
【００９３】
図２１は、記憶部９ａの一例を示す図であり、図２に示した記憶部９との相違点は、マイテーマ記憶部９２の代わりにマイテーマ記憶部９２ａが設けられている点、期間別利用マイテーマ特定情報記憶部９３の代わりに期間別利用マイテーマ特定情報記憶部９３ａが設けられている点、およびパスワード記憶部９５が設けられていない点である。
【００９４】
図２２は、マイテーマ記憶部９２ａの一例を示す図である。同図に示すように、マイテーマ記憶部９２ａには、電話番号Ｄ１が登録されている領域と、電話番号Ｄ２が登録された領域とが設けられている。電話番号Ｄ１に対応する領域には、電話番号Ｄ１が記録されているＳＩＭ１１を所有しているユーザが作成したマイテーマが、識別子に対応付けて登録されており、電話番号Ｄ２に対応する領域には、電話番号Ｄ２が記録されているＳＩＭ１１を所有しているユーザが作成したマイテーマが、識別子に対応付けて登録されている。なお、本実施の形態のマイテーマには、ロック有無情報が含まれていない。
【００９５】
図２３は、期間別利用マイテーマ特定情報記憶部９３ａの一例を示す図である。同図に示すように、期間別利用マイテーマ特定情報記憶部９３ａには、電話番号Ｄ１が登録された領域と、電話番号Ｄ２が登録された領域とが設けられている。電話番号Ｄ１に対応する領域には、電話番号Ｄ１が記録されたＳＩＭ１１を所有するユーザが期間別利用マイテーマ特定情報を登録するために使用する月別利用マイテーマ記憶部記憶部９３１ａ、曜日別利用マイテーマ記憶部９３２ａ、時間帯別利用マイテーマ記憶部９３３ａが設けられており、電話番号Ｄ２に対応する領域には、電話番号Ｄ２が記録されたＳＩＭ１１を所有するユーザが期間別利用マイテーマ特定情報を登録するために使用する月別利用マイテーマ記憶部記憶部９３１ａ、曜日別利用マイテーマ記憶部９３２ａ、時間帯別利用マイテーマ記憶部９３３ａが設けられている。
【００９６】
図２４は、制御部４ａの構成例を示すブロック図であり、図７に示した制御部４との相違点は、マイテーマ作成変更手段４２の代わりにマイテーマ作成変更手段４２ａを備えている点、利用期間設定手段４４の代わりに利用期間設定手段４４ａを備えている点、および変更手段４６の代わりに変更手段４６ａを備えている点である。
【００９７】
マイテーマ作成変更手段４２ａとマイテーマ作成変更手段４２との違いは、作成したマイテーマをマイテーマ記憶部９２ａに格納する際、マイテーマ記憶部９２ａに設けられている各電話番号に対応する領域の内の、ＳＩＭ１１に記録されている電話番号に対応する領域に格納するようにした点、および既に作成済みのマイテーマを変更する際、マイテーマ記憶部９２ａに設けられている各電話番号に対応する領域の内の、ＳＩＭ１１に記録されている電話番号に対応する領域に格納されているマイテーマの変更のみを許可するようにした点である。
【００９８】
利用期間設定手段４４ａと利用期間設定手段４４との相違点は、期間別利用マイテーマ特定情報を設定する際、期間別利用マイテーマ特定情報記憶部９３ａに設けられている各電話番号に対応する領域の内の、ＳＩＭ１１に記録されている電話番号に対応する領域を利用するようにした点である。
【００９９】
変更手段４６ａと変更手段４６との相違点は、期間別利用マイテーマ特定情報記憶部９３ａに設けられている各電話番号に対応する領域の内の、ＳＩＭ１１に記録されている電話番号に対応する領域に格納されている期間別利用マイテーマ特定情報に基づいて処理を行うようにした点である。
【０１００】
上記した機能を備えている制御部４ａは、コンピュータ（ＣＰＵ）によって実現可能であり、コンピュータによって実現する場合には、例えば、次のようにする。コンピュータを制御部４ａとして機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、通信手段４１、マイテーマ作成変更手段４２ａ、マイテーマ選択手段４３、利用期間設定手段４４ａ、標準設定変更手段４５、変更手段４６ａ、時計４７、および表示制御手段４９を実現する。
【０１０１】
〔第２の実施の形態の動作〕
次に本実施の形態の動作について説明する。なお、通信手段４１、マイテーマ選択手段４３、標準設定変更手段４５の動作は、第１の実施の形態と同様であるので、ここでは、説明を省略する。
【０１０２】
先ず、マイテーマ作成時の動作について説明する。ユーザは、マイテーマの作成時、入力部５を用いてマイテーマ作成変更手段４２ａを起動し、その後、マイテーマの作成を指示する。
【０１０３】
これにより、マイテーマ作成変更手段４２ａは、図２５のフローチャートに示すステップＳ２５１〜Ｓ２５７の処理を行い、マイテーマを作成する。なお、ステップＳ２５１〜２５７で行う処理は、既に説明してある図８のステップＳ８１〜Ｓ８７で行うほぼ処理と同様の処理である。但し、本実施の形態では、ロック有無情報が不要であるため、図１０、図１１に示す画面において、選択欄１０３、１０４、１１３、１１４は不要となる。
【０１０４】
その後、マイテーマ作成変更手段４２ａは、ＳＩＭ１１に記録されている電話番号を入力し（ステップＳ２５８）、マイテーマ記憶部９２ａに設けられている各電話番号に対応する領域の内の、ステップＳ２５８で入力した電話番号に対応する領域に、マイテーマを格納する（ステップＳ２５９）。なお、ステップＳ２５８で入力した電話番号に対応する領域が、マイテーマ記憶部９２ａ上に存在しない場合は、マイテーマ記憶部９２ａ上に上記電話番号に対応する領域を作成し、この領域にマイテーマを格納する。
【０１０５】
次に、マイテーマ記憶部９２ａに登録されているマイテーマの内容を変更する場合の動作を説明する。この場合、ユーザは、入力部５を用いてマイテーマ作成変更手段４２ａを起動し、その後、マイテーマの変更を指示する。
【０１０６】
これにより、マイテーマ作成変更手段４２ａは、図２６のフローチャートに示すように、先ず、ＳＩＭ１１に記録されている電話番号を入力する（ステップＳ２６１）。その後、マイテーマ作成変更手段４２ａは、マイテーマ記憶部９２ａに設けられている各電話番号に対応する領域の内の、ステップＳ２６１で入力した電話番号に対応する領域に格納されているマイテーマの一覧を表示部６に表示する（ステップＳ２６２）。その後、ユーザがマイテーマの一覧の中から変更対象にするマイテーマを選択すると、図１３に示すような、マイテーマ変更画面１３１を表示部６に表示する。ユーザがマイテーマ変更画面１３１上でマイテーマの変更操作を行うと、マイテーマ作成変更手段４２ａは、変更後のマイテーマを作成し（ステップＳ２６４）、マイテーマ記憶部９２ａの上記電話番号と対応する領域に登録されている変更前のマイテーマと置き換える（ステップＳ２６５）。
【０１０７】
次に、期間別利用マイテーマ特定情報の作成時の動作を説明する。ユーザは、期間別利用マイテーマ特定情報を作成する場合、入力部５から利用期間設定手段４４ａを起動する。
【０１０８】
これにより、利用期間設定手段４４ａは、図２７のフローチャートに示すように、ＳＩＭ１１から電話番号を入力する（ステップＳ２７１）。その後、利用期間設定手段４４ａは、図１５に示すような、期間別利用マイテーマ特定情報設定画面１５１を表示する（ステップＳ２７２）。但し、本実施の形態で使用する期間別利用マイテーマ特定情報設定画面１５１には、ロックをかけるか否かを選択するための選択欄１５５は不要である。
【０１０９】
利用期間設定手段４４ａは、ユーザが期間別利用マイテーマ特定情報設定画面１５１上で行う設定操作に従って期間別利用マイテーマ特定情報を作成し、作成した期間別利用マイテーマ特定情報を期間別利用マイテーマ特定情報記憶部９３ａの、各電話番号に対応する領域の内の、ステップＳ２７１で入力した電話番号に対応する領域に格納（上書き）する（ステップＳ２７３、Ｓ２７４）。なお、期間別利用マイテーマ特定情報記憶部９３ａに上記電話番号に対応する領域が存在しない場合は、上記電話番号に対応する領域を作成し、そこに期間別利用マイテーマ特定情報を格納する。
【０１１０】
次に、変更手段４６ａの動作について説明する。
【０１１１】
変更手段４６ａは、携帯端末１ａの電源がＯＮとなると、図２８のフローチャートに示すように、ＳＩＭ１１から電話番号を入力し（ステップＳ２８１）、期間別利用マイテーマ特定情報記憶部９３ａ上に、上記電話番号に対応する領域が存在するか否かを調べる（ステップＳ２８２）。
【０１１２】
そして、電話番号に対応する領域が存在しない場合（ステップＳ２８２がＮＯ）は、処理を終了する。これに対して、電話番号に対応する領域が存在する場合（ステップＳ２８２がＹＥＳ）は、期間別利用マイテーマ特定情報記憶部９３ａの、上記電話番号に対応する領域中の月別利用テーマ記憶部９３１ａを参照し、時計４７が表示している現在の月に対するマイテーマの識別子が設定されているか否かを調べる（ステップＳ２８３）。
【０１１３】
そして、設定されている場合（ステップＳ２８３がＹＥＳ）は、マイテーマ記憶部９２ａに格納されている該当するマイテーマに従って、現設定情報保持部４８に、各項目において使用するデータの識別子を設定する（ステップ２８６）。
【０１１４】
これに対して、設定されていない場合（ステップＳ２８３がＮＯ）は、期間別利用マイテーマ特定情報記憶部９３ａに設けられている、ステップＳ２８１で入力した電話番号に対応する領域中の曜日別利用マイテーマ記憶部９３２ａを参照し、時計４７が表示している現在の曜日に対するマイテーマの識別子が設定されているか否かを調べる（ステップＳ２８４）。
【０１１５】
そして、設定されている場合（ステップＳ２８４がＹＥＳ）は、マイテーマ記憶部９２ａに格納されている該当するマイテーマに従って、現設定情報保持部４８に、各項目において使用するデータの識別子を設定する（ステップＳ２８６）。
【０１１６】
これに対して、設定されていない場合（ステップＳ２８４がＮＯ）は、期間別利用マイテーマ特定情報記憶部９３ａに設けられている、ステップＳ２８１で入力した電話番号に対応する領域中の時間帯別利用マイテーマ記憶部９３３ａを参照し、時計４７が表示している現在の時間帯に対するマイテーマが設定されているか否かを調べる（ステップＳ２８５）。
【０１１７】
そして、設定されている場合（ステップＳ２８５がＹＥＳ）は、マイテーマ記憶部９２ａに格納されている該当するマイテーマに従って、現設定情報保持部４８に、各項目において使用するデータの識別子を設定する（ステップＳ２８６）。
【０１１８】
これに対して、設定されていない場合（ステップＳ２８５がＮＯ）は、標準設定情報記憶部９４の内容に従って、現設定情報保持部４８に、各項目において使用するデータの識別子を設定する（ステップＳ２８７）。
【０１１９】
ステップＳ２８６或いはステップＳ２８７の処理が終了すると、変更手段４６ａは、時間帯が次の時間帯になるのを待ち（ステップＳ２８８）、次の時間帯になると、再びステップＳ２８１の処理を行う。
【０１２０】
〔第２の実施の形態の効果〕
本実施の形態によれば、ユーザがロック有無情報の設定操作を行わなくとも、利用時期に応じて待ち受け画面などを変更するための情報を、貸し出し先のユーザによって変更されないようにすることができる。その理由は、ユーザによってマイテーマの変更が指示されたとき、マイテーマ記憶部９２ａに格納されているマイテーマの内の、ＳＩＭ１１中の電話番号と対応付けて登録されているマイテーマの変更を許可するマイテーマ作成変更手段４２ａと、ユーザによって期間別利用マイテーマ特定情報の変更が指示されたとき、期間別利用マイテーマ特定情報記憶部９３ａに格納されている期間別利用マイテーマ特定情報の内の、ＳＩＭ１１中の電話番号と対応付けて登録されている期間別利用マイテーマ特定情報の変更を許可する利用期間設定手段４４ａとを備えているからである。
【図面の簡単な説明】
【０１２１】
【図１】本発明にかかる携帯端末１の第１の実施の形態の構成例を示すブロック図である。
【図２】記憶部９の一例を示す図である。
【図３】利用可能データ記憶部９１の一例を示す図である。
【図４】マイテーマ記憶部９２の一例を示す図である。
【図５】期間別利用マイテーマ特定情報記憶部９３の一例を示す図である。
【図６】標準設定情報記憶部９４の一例を示す図である。
【図７】制御部４の構成例を示すブロック図である。
【図８】マイテーマ作成変更手段４２のマイテーマ作成時の処理例を示すフローチャートである。
【図９】問い合わせ画面９０１の一例を示す図である。
【図１０】マイテーマ作成画面１０の一例を示す図である。
【図１１】ランダム設定利用マイテーマ作成画面１１１の一例を示す図である。
【図１２】マイテーマ作成変更手段４２のマイテーマ変更時の処理例を示すフローチャートである。
【図１３】マイテーマ変更画面１３１の一例を示す図である。
【図１４】利用期間設定手段４４の処理例を示すフローチャートである。
【図１５】期間別利用マイテーマ特定情報設定画面１５１の一例を示す図である。
【図１６】標準設定変更手段４５の処理例を示すフローチャートである。
【図１７】標準設定変更画面１７１の一例を示す図である。
【図１８】変更手段４６の処理例を示すフローチャートである。
【図１９】マイテーマ選択手段４３の処理例を示すフローチャートである。
【図２０】本発明にかかる携帯端末の第２の実施の形態の構成例を示すブロック図である。
【図２１】記憶部９ａの一例を示す図である。
【図２２】マイテーマ記憶部９２ａの一例を示す図である。
【図２３】期間別利用マイテーマ特定情報記憶部９３ａの一例を示す図である。
【図２４】制御部４ａの構成例を示すブロック図である。
【図２５】マイテーマ作成変更手段４２ａのマイテーマ作成時の処理例を示すフローチャートである。
【図２６】マイテーマ作成変更手段４２ａのマイテーマ変更時の処理例を示すフローチャートである。
【図２７】期間設定手段４４ａの処理例を示すフローチャートである。
【図２８】変更手段４６ａの処理例を示すフローチャートである。
【符号の説明】
【０１２２】
１…携帯端末
２…アンテナ
３…送受信手段
４、４ａ…制御部
４１…通信手段
４２、４２ａ…マイテーマ作成変更手段
４３…マイテーマ選択手段
４４、４４ａ…利用期間設定手段
４５…標準設定変更手段
４６、４６ａ…変更手段
４７…時計
４８…現設定情報保持部
５…入力部
６…表示部
７…スピーカ
８…マイクロフォン
９、９ａ…記憶部
１０…コネクタ
１１…ＳＩＭ
【図１】
0004640137.tif 000002
【図２】
0004640137.tif 000003
【図３】
0004640137.tif 000004
【図４】
0004640137.tif 000005
【図５】
0004640137.tif 000006
【図６】
0004640137.tif 000007
【図７】
0004640137.tif 000008
【図８】
0004640137.tif 000009
【図９】
0004640137.tif 000010
【図１０】
0004640137.tif 000011
【図１１】
0004640137.tif 000012
【図１２】
0004640137.tif 000013
【図１３】
0004640137.tif 000014
【図１４】
0004640137.tif 000015
【図１５】
0004640137.tif 000016
【図１６】
0004640137.tif 000017
【図１７】
0004640137.tif 000018
【図１８】
0004640137.tif 000019
【図１９】
0004640137.tif 000020
【図２０】
0004640137.tif 000021
【図２１】
0004640137.tif 000022
【図２２】
0004640137.tif 000023
【図２３】
0004640137.tif 000024
【図２４】
0004640137.tif 000025
【図２５】
0004640137.tif 000026
【図２６】
0004640137.tif 000027
【図２７】
0004640137.tif 000028
【図２８】
0004640137.tif 000029